(57)【特許請求の範囲】
【請求項１】
１つまたは複数の携帯電話に関連する１つまたは複数の電話呼が保留されている間に、前記１つまたは複数の携帯電話で１つまたは複数のビデオを再生する１つまたは複数のビデオ・サーバ・コンポーネントを備えた装置において、
前記１つまたは複数の携帯電話で前記１つまたは複数のビデオを再生する前記１つまたは複数のビデオ・サーバ・コンポーネントが、携帯電話のためにビデオを再生する手段を備えたビデオ・サーバ・コンポーネントを含み、前記ビデオが、第１インターネット・プロトコル・アドレスで記憶された第１ビデオからなり、
前記ビデオ・サーバ・コンポーネントが、前記携帯電話に前記第１ビデオまたは第２ビデオを送信する許可を求めて前記携帯電話に照会メッセージを送信し、前記照会メッセージが、前記第１インターネット・プロトコル・アドレスで記憶された前記第１ビデオと第２インターネット・プロトコル・アドレスで記憶された前記第２ビデオとの間の選択からなり、
前記携帯電話が、ユーザが前記第１ビデオまたは前記第２ビデオの選択に関する前記選択に応答して前記選択を前記ビデオ・サーバ・コンポーネントに送信できるようにする手段を、使用し、
前記ビデオ・サーバ・コンポーネントが、前記第１ビデオの前記第１インターネット・プロトコル・アドレスまたは前記第２ビデオの前記第２インターネット・プロトコル・アドレスに前記携帯電話を接続するために前記選択を使用する手段を備える、
装置。
【請求項２】
請求項１記載の装置であって、
さらに、対話型サーバ・コンポーネントを備え、
前記１つまたは複数の携帯電話に関連する前記１つまたは複数の電話呼が保留されている間に前記１つまたは複数の携帯電話で前記１つまたは複数のビデオを再生する前記１つまたは複数のビデオ・サーバ・コンポーネントが、携帯電話に関連する電話呼が保留されている間に前記携帯電話のためにビデオを再生する手段を備えたビデオ・サーバ・コンポーネントからなり、
前記対話型サーバ・コンポーネントが、音声ネットワーク・コンポーネントを介して前記携帯電話に関連する前記電話呼と接続する手段を備え、
前記対話型サーバ・コンポーネントが、前記携帯電話のユーザにユーザ情報を要求する手段を備え、
前記対話型サーバ・コンポーネントが、前記携帯電話に関連する前記電話呼を保留にする手段を備え、
前記携帯電話からの前記ユーザ情報の受信時に、前記対話型サーバ・コンポーネントが、前記携帯電話の前記ユーザの１つまたは複数のユーザ嗜好の決定を行うために前記ユーザ情報を用いてデータベースを検索する手段を備え、
前記対話型サーバ・コンポーネントが、前記１つまたは複数のユーザ嗜好を前記ビデオ・サーバ・コンポーネントに渡す手段を備え、
前記ビデオ・サーバ・コンポーネントが、複数のビデオのうちのどのビデオを前記携帯電話で再生するかを判定するために前記１つまたは複数のユーザ嗜好の１つまたは複数を使用する手段を備える、
装置。
【請求項３】
請求項１記載の装置であって、
さらに、対話型サーバ・コンポーネントを備え、
前記１つまたは複数の携帯電話に関連する前記１つまたは複数の電話呼が保留されている間に前記１つまたは複数の携帯電話で前記１つまたは複数のビデオを再生する前記１つまたは複数のビデオ・サーバ・コンポーネントが、携帯電話に関連する電話呼が保留されている間に前記携帯電話のためにビデオを再生する手段を備えたビデオ・サーバ・コンポーネントからなり、
前記対話型サーバ・コンポーネントが、音声ネットワーク・コンポーネントを介して前記携帯電話に関連する前記電話呼と接続する手段を備え、
前記対話型サーバ・コンポーネントが、前記携帯電話に関連する前記電話呼を保留にする手段を備え、
前記携帯電話に関連する前記電話呼が、ユーザ情報を含み、前記対話型サーバ・コンポーネントが、前記携帯電話のユーザの１つまたは複数のユーザ嗜好の決定を行うために、前記ユーザ情報を用いてデータベースを検索する手段を備え、
前記対話型サーバ・コンポーネントが、前記１つまたは複数のユーザ嗜好を前記ビデオ・サーバ・コンポーネントに渡す手段を備え、
前記ビデオ・サーバ・コンポーネントが、複数のビデオのうちのどのビデオを前記携帯電話で再生するかを判定するために、前記１つまたは複数のユーザ嗜好の１つまたは複数を使用する手段を備える、
装置。
【請求項４】
請求項１記載の装置であって、
さらに、対話型サーバ・コンポーネントを備え、
前記１つまたは複数の携帯電話に関連する前記１つまたは複数の電話呼が保留されている間に前記１つまたは複数の携帯電話で前記１つまたは複数のビデオを再生する前記１つまたは複数のビデオ・サーバ・コンポーネントが、携帯電話に関連する電話呼が保留されている間に前記携帯電話のためにビデオを再生する手段を備えたビデオ・サーバ・コンポーネントを含み、
前記対話型サーバ・コンポーネントが、音声ネットワーク・コンポーネントを介して前記携帯電話に関連する前記電話と接続する手段を備え、
前記対話型サーバ・コンポーネントが、前記携帯電話に関連する前記電話呼を保留にする手段を備え、
前記ビデオ・サーバ・コンポーネントまたは前記対話型サーバ・コンポーネントが、前記携帯電話で前記ビデオを再生する許可を求めて前記携帯電話に照会メッセージを送信する手段を備え、前記照会メッセージが、前記ビデオへの接続に関するインターネット・プロトコル・アドレスを含み、
前記携帯電話が、前記ビデオを再生する許可によって前記ビデオ・サーバ・コンポーネントまたは前記対話型サーバ・コンポーネントに前記ユーザが応答できるようにする手段を使用し、前記ビデオ・サーバ・コンポーネントが、データ・ネットワークを介して前記インターネット・プロトコル・アドレスの前記ビデオに前記携帯電話を接続する手段を備える、
装置。
【請求項５】
請求項１記載の装置であって、
さらに、対話型サーバ・コンポーネントを備え、
前記１つまたは複数の携帯電話に関連する前記１つまたは複数の電話呼が保留されている間に前記１つまたは複数の携帯電話で前記１つまたは複数のビデオを再生する前記１つまたは複数のビデオ・サーバ・コンポーネントが、携帯電話に関連する電話呼が保留されている間に前記携帯電話のためにビデオを再生する手段を備えたビデオ・サーバ・コンポーネントからなり、
前記対話型サーバ・コンポーネントが、音声ネットワーク・コンポーネントを介して前記携帯電話に関連する前記電話呼と接続する手段を備え、
前記対話型サーバ・コンポーネントが、前記携帯電話に関連する前記電話呼を保留にする手段を備え、
前記ビデオ・サーバ・コンポーネントまたは前記対話型サーバ・コンポーネントが、前記携帯電話で前記ビデオを再生する許可を求めて前記携帯電話に照会メッセージを送信する手段を備え、前記照会メッセージが、前記ビデオへの接続に関するインターネット・プロトコル・アドレスを含み、
ＶｏＩＰネットワークが、前記音声ネットワーク・コンポーネントおよびデータ・ネットワークを含み、前記携帯電話が、前記ビデオを再生する許可によって前記ビデオ・サーバ・コンポーネントまたは前記対話型サーバ・コンポーネントに前記ユーザが応答できるようにする手段を備え、前記ビデオ・サーバ・コンポーネントが、前記ＶｏＩＰネットワークを介して前記インターネット・プロトコル・アドレスの前記ビデオに前記携帯電話を接続する手段を備える、
装置。
【請求項６】
１つまたは複数の携帯電話に関連する１つまたは複数の電話呼が保留にされている間に前記１つまたは複数の携帯電話で１つまたは複数のビデオを再生するように１つまたは複数のビデオ・サーバ・コンポーネントに指示するステップを備える方法において、
前記１つまたは複数の携帯電話で前記１つまたは複数のビデオを再生する前記１つまたは複数のビデオ・サーバ・コンポーネントが、携帯電話に関連する電話呼が保留されている間に前記携帯電話で第１ビデオおよび第２ビデオを再生する手段を備えたビデオ・サーバ・コンポーネントからなり、
前記１つまたは複数の携帯電話に関連する前記１つまたは複数の電話呼が保留にされている間に前記１つまたは複数の携帯電話で前記１つまたは複数のビデオを再生するように前記１つまたは複数のビデオ・サーバ・コンポーネントに指示する前記ステップが、
前記携帯電話で前記ビデオを再生する許可を求めて前記携帯電話に照会メッセージを送信する工程であって、前記照会メッセージが、前記第１ビデオと前記第２ビデオとの間での選択を含み、前記第１ビデオが、第１インターネット・プロトコル・アドレスで記憶され、前記第２ビデオが、第２インターネット・プロトコル・アドレスで記憶されるステップ、
前記第１ビデオまたは前記第２ビデオの選択に関する応答を前記携帯電話のユーザから受信するステップ、
前記携帯電話を前記第１ビデオの前記第１インターネット・プロトコル・アドレスまたは前記第２ビデオの前記第２インターネット・プロトコル・アドレスに接続するために前記第１ビデオまたは前記第２ビデオの前記選択を使用するステップ、
前記１つまたは複数の携帯電話の１つまたは複数での前記１つまたは複数のビデオの１つまたは複数の送信を終了するステップ、及び
前記１つまたは複数の携帯電話の前記１つまたは複数に関連する前記１つまたは複数の電話呼の１つまたは複数を保留解除するステップ
からなる方法。
【発明の詳細な説明】
【技術分野】
【０００１】
本発明は、全般的には移動体通信に関し、具体的には携帯電話でのビデオの再生に関する。
【背景技術】
【０００２】
多くの会社が、現在、１つまたは複数のサーバ・コンポーネントを使用して、発呼電話からの着信電話呼に応答している。一例のサーバ・コンポーネントは、着信電話呼の意図された受信者を判定し、電話呼を意図された受信者に向けて送る。たとえば、サーバ・コンポーネントは、会社の従業員に電話呼を接続しようと試みる。その従業員が忙しいときには、一例のサーバ・コンポーネントは、その電話呼を保留にする。一例では、電話呼が保留されている間に、サーバ・コンポーネントが、発呼電話のユーザが楽しむために発呼電話で音楽を再生する。別の例では、会社が、サーバ・コンポーネントを使用して、携帯電話のユーザに製品、サービス、および／またはイベントを宣伝する。
【０００３】
多くの携帯電話が、携帯電話のユーザのためにビデオを表示することができる。１つの短所として、サーバ・コンポーネントは、携帯電話に関連する電話呼が保留されている間、携帯電話でビデオを再生しない。もう１つの短所として、サーバ・コンポーネントは、携帯電話に関連する電話呼が保留されている間、携帯電話で再生されるコンテンツのタイプをユーザが選択できるようにしない。
【発明の開示】
【発明が解決しようとする課題】
【０００４】
したがって、１つまたは複数の携帯電話でビデオを再生するサーバ・コンポーネントが求められている。発呼者が、保留中に携帯電話で再生されるコンテンツのタイプを選択できるようにすることがさらに求められている。
【課題を解決するための手段】
【０００５】
本発明の一実施形態は装置を含む。この装置には、１つまたは複数の携帯電話に関連する１つまたは複数の電話呼が保留されている間に１つまたは複数の携帯電話で１つまたは複数のビデオを再生する１つまたは複数のビデオ・サーバ・コンポーネントが含まれる。
【０００６】
本発明の他の実施形態は方法を含む。１つまたは複数のビデオ・サーバ・コンポーネントが、１つまたは複数の携帯電話に関連する１つまたは複数の電話呼が保留されている間に１つまたは複数の携帯電話で１つまたは複数のビデオを再生するように指示される。
【０００７】
本発明の他の実施形態は物品を含む。この物品には、１つまたは複数のコンピュータ可読信号担持媒体が含まれる。この物品には、１つまたは複数の携帯電話に関連する１つまたは複数の電話呼が保留されている間に１つまたは複数の携帯電話で１つまたは複数のビデオを再生するように１つまたは複数のビデオ・サーバ・コンポーネントに指示する、１つまたは複数の媒体内の手段が含まれる。
本発明の例示的実施形態の特徴は、説明、請求項、および添付図面から明白になる。
【発明を実施するための最良の形態】
【０００８】
図１に移ると、一例の装置１００に、１つまたは複数の携帯電話１０２、１つまたは複数のネットワーク・コンポーネント１０４および１０６、１つまたは複数の対話型サーバ・コンポーネント１０８、１つまたは複数のデータベース１１０、および１つまたは複数のビデオ・サーバ・コンポーネント１１２が含まれている。一例の家または会社では、対話型サーバ・コンポーネント１０８が、１つまたは複数の電話呼を処理するのに使用される。たとえば、携帯電話１０２のユーザ１１６が、家または会社に電話をかけることができる。一例の対話型サーバ・コンポーネント１０８は、携帯電話１０２からの電話呼を保留中にする。携帯電話１０２からの電話呼が保留されている間に、ビデオ・サーバ・コンポーネント１１２が、携帯電話１０２で１つまたは複数のビデオを再生する。
【０００９】
一例の携帯電話１０２のユーザ１１６は、会社の顧客である。たとえば、ユーザ１１６は、会社から製品および／またはサービスを買う。携帯電話１０２には、携帯電話１０２のユーザにビデオを表示する画面が含まれる。携帯電話１０２は、ネットワーク・コンポーネント１０４および１０６を介して通信する。たとえば、携帯電話１０２は、同時にネットワーク・コンポーネント１０４および１０６の両方を介して通信することができる。
【００１０】
一例では、ユーザ１１６は、携帯電話１０２を使用して、ネットワーク・コンポーネント１０４を介して対話型サーバ・コンポーネント１０８に電話をかける。一例のネットワーク・コンポーネント１０４に、音声ネットワークが含まれる。たとえば、ネットワーク・コンポーネント１０４には、ＰＬＭＮ（ｐｕｂｌｉｃ  ｌａｎｄ  ｍｏｂｉｌｅ  ｎｅｔｗｏｒｋ）が含まれる。
【００１１】
別の例では、ユーザ１１６は、携帯電話１０２を使用して、ＶｏＩＰ（ｖｏｉｃｅ  ｏｖｅｒ  ｉｎｔｅｒｎｅｔ  ｐｒｏｔｏｃｏｌ）ネットワークを介して対話型サーバ・コンポーネント１０８に電話をかける。たとえば、ＶｏＩＰネットワークで、ネットワーク・コンポーネント１０４および１０６が使用される。たとえば、ＶｏＩＰネットワークでは、１つまたは複数の携帯電話１０２、対話型サーバ・コンポーネント１０８、およびビデオ・サーバ・コンポーネント１１２の間でデータ通信および／または音声通信が通信される。一例のネットワーク・コンポーネント１０６に、データ・ネットワークが含まれる。
【００１２】
ネットワーク・コンポーネント１０４および１０６の１つまたは複数が、携帯電話１０２から対話型サーバ・コンポーネント１０８に電話呼を渡す。対話型サーバ・コンポーネント１０８は、電話呼を意図された受信者に接続しようと試みる。意図された受信者が電話に出られない場合、対話型サーバ・コンポーネント１０８が、電話呼を処理する。たとえば、意図された受信者には、対話型サーバ・コンポーネント１０８に関連する会社の従業員を含めることができ、その従業員が忙しい場合がある。したがって、対話型サーバ・コンポーネント１０８は、従業員が忙しいときに電話呼を保留にする。一例の対話型サーバ・コンポーネント１０８に、ＩＶＲ（ｉｎｔｅｒａｃｔｉｖｅ  ｖｏｉｃｅ  ｒｅｓｐｏｎｓｅ）サーバ・コンポーネントが含まれる。一例の対話型サーバ・コンポーネント１０８に、記録可能データ記憶媒体１１４のインスタンスが含まれる。
【００１３】
一例で、携帯電話１０２からの電話呼には、ユーザ情報が含まれる。一例のユーザ情報には、携帯電話１０２のユーザ１１６の発呼者識別が含まれる。別の例では、ユーザ１１６が、会社の新しい顧客であり、電話呼には、ユーザ情報が含まれない。電話呼にユーザ情報が含まれない場合、対話型サーバ・コンポーネント１０８は、ユーザ１１６にユーザ情報を要求する。一例のユーザ情報には、ユーザ１１６の名前、住所、電話番号、および他の顧客識別情報の１つまたは複数が含まれる。ユーザ１１６が新規顧客である場合、一例の対話型サーバ・コンポーネント１０８は、ユーザ情報をデータベース１１０に入力する。ユーザ１１６が、会社の２回目以降の顧客である場合、一例の対話型サーバ・コンポーネント１０８は、ユーザ情報を用いてデータベース１１０を検索して、携帯電話１０２のユーザ１１６の１つまたは複数のユーザ嗜好の決定を行う。
【００１４】
データベース１１０は、対話型サーバ・コンポーネント１０８およびビデオ・サーバ・コンポーネント１１２の１つまたは複数にユーザ嗜好を返す。一例のデータベース１１０には、カスタマ・リレーションシップ・マネジメント（ＣＲＭ）サーバ・コンポーネントが含まれる。たとえば、対話型サーバ・コンポーネント１０８およびビデオ・サーバ・コンポーネント１１２の１つまたは複数は、呼情報およびユーザ情報を用いて、データベース１１０に記憶された顧客のユーザ嗜好についてデータベース１１０を検索することができる。一例のデータベース１１０には、記録可能データ記憶媒体１１４のインスタンスが含まれる。
【００１５】
ビデオ・サーバ・コンポーネント１１２は、携帯電話１０２でユーザ１１６にビデオを再生する。たとえば、ユーザ１１６が会社の２回目以降の顧客である場合、ビデオ・サーバ・コンポーネント１１２は、データベース１１０に記憶されたユーザ嗜好に基づいて携帯電話１０２でビデオを再生する。ユーザ１１６が会社の新規顧客である場合には、ビデオ・サーバ・コンポーネント１１２は、携帯電話１０２でビデオを再生する。たとえば、ビデオ・サーバ・コンポーネント１１２は、携帯電話１０２でユーザ１１６に会社の宣伝を再生することができる。ビデオ・サーバ・コンポーネント１１２に、記録可能データ記憶媒体１１４のインスタンスが含まれる。一例では、ビデオ・サーバ・コンポーネント１１２は、ネットワーク・コンポーネント１０６を介して携帯電話１０２にビデオをストリーミングする。別の例では、ビデオ・サーバ・コンポーネント１１２は、ＶｏＩＰネットワークを介して携帯電話１０２にビデオをストリーミングする。
【００１６】
一例の対話型サーバ・コンポーネント１０８またはビデオ・サーバ・コンポーネント１１２は、１つまたは複数のメッセージを携帯電話１０２に送信する。一例のメッセージには、１つまたは複数のショート・メッセージ・サービス（ＳＭＳ）メッセージが含まれる。対話型サーバ・コンポーネント１０８またはビデオ・サーバ・コンポーネント１１２は、携帯電話１０２にメッセージを送信して、携帯電話１０２でビデオを再生する許可をユーザ１１６に求める。一例のメッセージによって、第１ビデオおよび第２ビデオなどの複数のビデオの間での選択が提供される。たとえば、第１ビデオは、第１インターネット・プロトコル・アドレスで記憶され、第２ビデオは、第２インターネット・プロトコル・アドレスで記憶される。ユーザ１１６は、携帯電話１０２を使用して、第１ビデオまたは第２ビデオのいずれかを再生する選択について、メッセージで提示された選択肢に応答する。たとえば、ユーザ１１６は、携帯電話１０２のボタンを押すか音声コマンドを使用して、第１ビデオまたは第２ビデオの選択を行う。
【００１７】
一例では、対話型サーバ・コンポーネント１０８およびビデオ・サーバ・コンポーネント１１２の１つまたは複数は、第１ビデオまたは第２ビデオの携帯電話１０２からの選択を入手する。選択の受信時に、ビデオ・サーバ・コンポーネント１１２は、ネットワーク・コンポーネント１０６またはＶｏＩＰネットワークを介して携帯電話１０２に第１ビデオまたは第２ビデオを再生する。たとえば、ビデオ・サーバ・コンポーネント１１２は、携帯電話１０２を第１ビデオの第１インターネット・プロトコル・アドレスまたは第２ビデオの第２インターネット・プロトコル・アドレスに接続する。別の例では、対話型サーバ・コンポーネント１０８またはビデオ・サーバ・コンポーネント１１２が、ビデオの選択を携帯電話１０２に提供しない。たとえば、ビデオ・サーバ・コンポーネント１１２は、携帯電話１０２のユーザ１１６からの許可なしで、携帯電話１０２が保留中である間に携帯電話１０２でビデオを再生することができる。
【００１８】
ユーザ１１６は、携帯電話１０２を使用してビデオを見る。電話呼の意図された受信者が電話に出られるようになったとき、一例の対話型サーバ・コンポーネント１０８は、ビデオ・サーバ・コンポーネント１１２にメッセージを送信して、携帯電話１０２でのビデオの再生を停止する。その後、対話型サーバ・コンポーネント１０８は、電話呼の保留を解除し、電話呼を意図された受信者に接続しようと試みる。
【００１９】
図１および２を参照して、例示のために、装置１００の例示的動作の例示的説明を提示する。メッセージ・フロー２０２に、携帯電話１０２に１つまたは複数のビデオを再生するビデオ・サーバ・コンポーネント１１２が示されている。たとえば、ビデオ・サーバ・コンポーネント１１２は、携帯電話に関連する電話呼が保留されている間に、携帯電話１０２でビデオを再生する。
【００２０】
一例のユーザ１１６は、携帯電話１０２を使用して、家または会社に電話２０４をかける。たとえば、ネットワーク・コンポーネント１０４またはＶｏＩＰネットワークが、家または会社に関連する対話型サーバ・コンポーネント１０８に携帯電話１０２からの電話呼２０４を渡す。電話呼２０４の受信時に、対話型サーバ・コンポーネント１０８は、携帯電話１０２のユーザ１１６に関連するユーザ情報２０６を入手する。一例では、対話型サーバ・コンポーネント１０８は、ユーザ情報２０６について携帯電話１０２のユーザ１１６に尋ねる。別の例では、対話型サーバ・コンポーネント１０８は、電話呼２０４からユーザ情報２０６を抽出する。ユーザ情報２０６の受取時に、対話型サーバ・コンポーネント１０８は、電話呼を保留２０８にすることができる。
【００２１】
また、ユーザ情報２０６の受取時に、対話型サーバ・コンポーネント１０８は、ユーザ情報２０６を用いるデータベース１１０の照会２１０を実行して、１つまたは複数のユーザ嗜好２１２の決定を行う。一例の「ユーザ情報を用いる照会」は、データベース１１０の照会２１０を表すように働く。データベース１１０は、対話型サーバ・コンポーネント１０８またはビデオ・サーバ・コンポーネント１１２にユーザ嗜好２１２を渡す。
【００２２】
ユーザ嗜好２１２の受取時に、一例の対話型サーバ・コンポーネント１０８またはビデオ・サーバ・コンポーネント１１２は、ネットワーク・コンポーネント１０６またはＶｏＩＰネットワークを介して携帯電話１０２のユーザ１１６に照会メッセージ２１４を送信する。たとえば、対話型サーバ・コンポーネント１０８またはビデオ・サーバ・コンポーネント１１２は、照会メッセージ２１４を送信して、携帯電話１０２でビデオ２１８を再生する許可を携帯電話１０２のユーザ１１６に求める。一例では「許可を求める」は、照会メッセージ２１４を表すように働く。照会メッセージ２１４の受取時に、一例のユーザ１１６は、携帯電話１０２を使用して、ネットワーク・コンポーネント１０６またはＶｏＩＰネットワークを介して携帯電話１０２でビデオ２１８を再生する許可を伴う応答メッセージ２１６を対話型サーバ・コンポーネント１０８またはビデオ・サーバ・コンポーネント１１２に送信する。一例の「許可」は、応答メッセージ２１６を表すように働く。
【００２３】
携帯電話１０２からの応答メッセージ２１６の受取時に、ビデオ・サーバ・コンポーネント１１２は、ネットワーク・コンポーネント１０６またはＶｏＩＰネットワークを介して携帯電話１０２でビデオ２１８を再生する。たとえば、ビデオ・サーバ・コンポーネント１１２は、ビデオ２１８のインターネット・プロトコル・アドレスに携帯電話１０２を接続する。一例のユーザ１１６は、携帯電話１０２を使用してビデオ２１８を見る。
【００２４】
対話型サーバ・コンポーネント１０８の位置で意図された受信者が電話に出られるようになったとき、一例の対話型サーバ・コンポーネント１０８は、ビデオ・サーバ・コンポーネント１１２に通知２２０を送信して、ビデオ２１８を終了する。一例の「ビデオを終了する」は、ビデオ２１８を終了させる通知２２０を表すように働く。一例の対話型サーバ・コンポーネント１０８は、携帯電話１０２に関連する電話呼を保留解除２２２する。一例の「保留解除」は、電話呼を保留解除２２２することを表すように働く。その後、一例の対話型サーバ・コンポーネント１０８は、携帯電話１０２からの電話呼を意図された受信者に接続する。
【００２５】
一例の装置１００に、１つまたは複数のハードウェア・コンポーネントおよび１つまたは複数のソフトウェア・コンポーネントなどの複数のコンポーネントが含まれる。複数のそのようなコンポーネントを、装置１００内で組み合わせるか分割することができる。装置１００の例示的コンポーネントは、当業者には理解されるように、複数のプログラミング言語のいずれかで記述されるか実施される１組および／または一連のコンピュータ命令を使用し、かつ／または含む。
【００２６】
一例の装置１００は、１つまたは複数のコンピュータ可読信号担持媒体を使用する。装置１００のコンピュータ可読信号担持媒体の例に、対話型サーバ・コンポーネント１０８、データベース１１０、およびビデオ・サーバ・コンポーネント１１２の記録可能データ記憶媒体１１４が含まれる。たとえば、装置１００のコンピュータ可読信号担持媒体に、磁気データ記憶媒体、電気データ記憶媒体、光データ記憶媒体、生物学データ記憶媒体、および原子データ記憶媒体の１つまたは複数が含まれる。一例では、コンピュータ可読信号担持媒体に、たとえば電話網、ローカル・エリア・ネットワーク（ＬＡＮ）、インターネット、および無線ネットワークの１つまたは複数など、装置１００を含むかこれに結合されたネットワークを介して伝送される変調された搬送波が含まれる。
【００２７】
本明細書に記載のステップまたは動作は、例示にすぎない。本発明の趣旨から逸脱しない、これらのステップまたは動作に対する多数の変形形態がありえる。たとえば、ステップを異なる順序で実行することができ、ステップを、追加、削除、または修正することができる。
【００２８】
本発明の例示的実施形態を図示し、本明細書で詳細に説明したが、本発明の趣旨から逸脱せずにさまざまな修正、追加、置換などを行うことができ、したがって、これらは、特許請求の範囲で定義される本発明の範囲に含まれると見なされることは、当業者には明らかであろう。
【図面の簡単な説明】
【００２９】
【図１】１つまたは複数の携帯電話、１つまたは複数のネットワーク・コンポーネント、１つまたは複数の対話型サーバ・コンポーネント、１つまたは複数のデータベース、および１つまたは複数のビデオ・サーバ・コンポーネントを含む装置の例示的実施形態を表す図である。
【図２】図１のビデオ・サーバ・コンポーネントによる携帯電話での１つまたは複数のビデオの再生を示す、メッセージ・フローの例示的実施形態を表す図である。
【図１】
0004619761.tif 000002
【図２】
0004619761.tif 000003